【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
ポール、特に、トレッキングポール、クロスカントリースキーポール、ノルディックウォーキングポール、又はアルペンスキーポールのためのアタッチメントであって、
前記アタッチメントは、ポール管（１）の下側自由端部（２５）に留め付け可能で、且つ、前記ポール管（１）の前記下側自由端部（２５）を受け入れるための上向きに開いた止まり穴（２２）を有する、実質的に円筒形のスリーブ（３）を有し、
交換可能な要素（２）が、形状結合及び摩擦結合的に取り外し可能に前記スリーブ（３）に留め付け可能であり、
前記スリーブ（３）は、ヘッド領域（４）と、前記ヘッド領域（４）に下方に隣接するボディ領域（５）とを有し、
前記スリーブ（３）の前記ボディ領域（５）の少なくとも１つの軸方向部分が雄ねじ（６）を有し、
前記交換可能な要素（２）は、その下側端部（２１）に先端部又は転がり面を有し、又は、その下側端部（２１）に先端部（１６）がはめ込まれており、
前記交換可能な要素（２）は、前記スリーブ（３）を受け入れるための軸方向上方に開いた止まり穴（１５）を有し、
前記交換可能な要素（２）は、その止まり穴（１５）内に雌ねじ（２１’）を有し、前記雌ねじは、前記交換可能な要素（２）を前記スリーブ（３）に留め付ける目的で、前記スリーブ（３）上に配置される前記雄ねじ（６）に係合するのに適していることを特徴とする前記アタッチメント。
【請求項２】
前記交換可能な要素（２）は、前記スリーブ（３）に対しねじり防止部を有し、これは、前記スリーブ（３）上に取り付けられた状態において、前記交換可能な要素（２）の前記ポール管（１）の長手軸（Ｓ）の周りの円周方向（Ｕ）の回転を防ぐことを特徴とする、請求項１に記載のアタッチメント。
【請求項３】
前記交換可能な要素（２）は前記軸方向（Ｓ）に延びる少なくとも１つのラッチラグ（１２）を有し、これは、前記スリーブ（３）上に配置される、対応する凹部（８）、好ましくは軸方向の対応する凹部（８）に係合するのに適しており、
前記交換可能な要素（２）は、好ましくは、前記軸方向に延びるただ１つだけのラッチラグ（１２）を有し、さらに好ましくは、前記スリーブ（３）は、対応する凹部（８）、好ましくは軸方向の対応する凹部（８）を１つだけ有することを特徴とする、請求項１又は２に記載のアタッチメント。
【請求項４】
前記交換可能な要素（２）は、プレート領域（１１，１１’）、好ましくは非対称のプレート領域（１１，１１’）を有し、前記プレート領域（１１，１１’）は、好ましくは、実質的に、ポールの長手軸（Ｓ）に垂直な平面（Ｅ）で延び、前記プレート領域（１１’）は、好ましくは、その下側端部に歯（２３’）を有することを特徴とする、請求項１〜３のいずれかに記載のアタッチメント。
【請求項５】
前記１つだけのラッチラグ（１２）は、前記交換可能な要素（２）の、走行方向（Ｌ）と逆に向く側に配置され、この側に、前記プレート領域（１１，１１’）は、前記走行方向（Ｌ）と反対の方向に測定して、最大径（ｄ３）を有することを特徴とする、請求項３又は４に記載のアタッチメント。
【請求項６】
前記交換可能な要素（２）は、好ましくは前記プレート領域の変形により、特に好ましくは前記プレート領域（１１，１１’）を前記軸方向に押し下げることにより、前記凹部（８）から前記ラッチラグ（１２）を取り除くことによって、及び、これに続いて、前記交換可能な要素（２）を、前記スリーブ（３）からねじをゆるめて外すことによって、前記スリーブ（３）から着脱可能であることを特徴とする、請求項４又は５に記載のアタッチメント。
【請求項７】
前記プレート領域（１１，１１’）は、補強リブ（１８）を有し、この補強リブ（１８）は、好ましくは、前記ラッチラグ（１２）から、前記プレート領域（１１，１１’）の前記最大径（ｄ３）の位置にある前記プレート領域（１１，１１’）の径方向先端部（２４）まで、前記走行方向（Ｌ）に反対の方向に延びることを特徴とする、請求項３〜６のいずれかに記載のアタッチメント。
【請求項８】
前記交換可能な要素（２）は、前記ラッチラグ（１２）を前記凹部（８）から取り除くことによって、及び、これに続いて前記交換可能な要素（２）をねじをゆるめて外すことによって、前記スリーブ（３）から取り外すことができ、
前記ラッチラグ（１２）は、この目的のために、前記凹部（８）にラッチされた状態において、少なくとも上部領域で、前記スリーブ（３）の表面輪郭を越えて突出し（３２）、
及び／又は、前記凹部（８）は、前記ラッチされた状態において、前記ラッチラグ（１２）の自由端部の軸方向上側に、工具（３０）との係合のための凹部（３１）をあけておき、
及び／又は、前記交換可能な要素（２）に、前記ポールプレート（１１）が押し下げられるときの前記ラッチラグ（１２）の可動性を促進し、好ましくは、前記交換可能な要素（２）の壁内のスロット（３３）の形を有する要素が設けられ、
及び／又は、前記ラッチラグ（１２）は、ロッカーの形をした可動領域（３５）を介して前記交換可能な要素（２）上に一体的に形成され、及び、好ましくは、前記プレート（１１）の方を向く下部領域に押圧領域（３４）が配置され；
及び／又は、前記交換可能な要素（２）の、前記スリーブ（３）のヘッド領域（４）の方を向く上縁（２０）は、円周方向において前記ラッチラグ（１２）の片側又は好ましくは両側に、前記ポールプレート（１１）に向かって前記軸方向に延びるくぼみ（３８）を有し、その結果、前記ラッチラグ（１２）の軸方向高さ（Ｈ）と、結果として前記ラッチラグ（１２）の自由長が延長され、好ましくは、前記軸方向高さ（Ｈ）は、くぼみ（３８）のない前記ラッチラグ（１２）の高さ（ｈ）より少なくとも１．５倍、好ましくは１．７５倍大きく、及び／又は、さらに好ましくは、前記円周方向における前記ラッチラグ（１２）の横の側面（３９）は傾斜しており；
及び／又は、前記交換可能な要素（２）は、前記ラッチラグ（１２）を備える部分的に可動な領域（３７）を有し、この領域（３７）は、前記交換可能な要素（２）の前記上部領域を形成し、前記ラッチラグ（１２）に対向して位置する押圧領域（３６）の操作によって、前記ラッチラグ（１２）を前記凹部（８）から押し出すことができるように、前記交換可能な要素（２）の前記下部領域に対して径方向に移動できるように設計されていることを特徴とする、請求項３〜７のいずれかに記載のアタッチメント。
【請求項９】
前記スリーブ（３）の前記ボディ領域（５）上の前記雄ねじ（６）は、前記ヘッド領域（４）から軸方向に離間しており、及び／又は、好ましくは、前記ヘッド領域（４）は、前記スリーブ（３）の前記ボディ領域（５）から環状の第１の段部（７）によって分離されていることを特徴とする、請求項１〜８のいずれかに記載のアタッチメント。
【請求項１０】
前記スリーブ（３）の上側端部にある前記スリーブ（３）の上縁（９）が、前記ポールの長手軸（Ｓ）に垂直に延びる平面（Ｅ１）に対し傾けて配置される平面（Ｅ２）において延び、その結果、前記スリーブ（３）は、前記ポールの長手軸（Ｓ）に平行な長手方向に測定して、前記スリーブ（３）の前記上縁（９）から前記スリーブ（３）の下側端部にあるスリーブの下縁（１０）まで測定した長さが異なる（ｌ１，ｌ２）ことを特徴とする、請求項１〜９のいずれかに記載のアタッチメント。
【請求項１１】
前記スリーブ（３）の前記ヘッド領域（４）は円錐形であり、前記ヘッド領域（４）の径は、前記ボディ領域（５）に向かって下方に広がることを特徴とする、請求項１〜１０のいずれかに記載のアタッチメント。
【請求項１２】
前記スリーブ（３）の前記ヘッド領域（４）の前記下縁（１３）は、前記交換可能な要素（２）の上側端部にある前記交換可能な要素（２）の前記上縁（２０）と同じ径（ｄ２）を有することを特徴とする、請求項１〜１１のいずれかに記載のアタッチメント。
【請求項１３】
前記スリーブ（３）の前記ヘッド領域（４）と前記ボディ領域（５）の間の環状の第１の段部（７）が、前記交換可能な要素（２）の上側端部にある前記交換可能な要素（２）の上縁（２０）のための上側止め部を形成することを特徴とする、請求項１〜１２のいずれかに記載のアタッチメント。
【請求項１４】
上側自由端部にポール取っ手部を備えるポール管（１）を有し、前記ポール管（１）の前記下側自由端部（２５）が、請求項１〜１３のいずれかに記載のアタッチメントを有するポール、特に、トレッキングポール、クロスカントリースキーポール、ノルディックウォーキングポール、又はアルペンスキーポール。
【請求項１５】
前記スリーブ（３）は、好ましくは、例えば、接着接合及び／又はプレス加工により、素材結合、摩擦結合、又は形状結合によって、前記ポール管（１）の前記下側自由端部（２５）に固定して取り付けられることを特徴とする、請求項１４に記載のポール。
【手続補正２】
【補正対象書類名】明細書
【補正対象項目名】０００８
【補正方法】変更
【補正の内容】
【０００８】
ポール、特に、トレッキングポール、クロスカントリースキーポール、ノルディックウォーキングポール、又はアルペンスキーポールのための、本発明によるアタッチメントは、ポール管の下側自由端部に留め付け可能な、ほぼ円筒形のスリーブを有し、このスリーブは、ポール管の下側自由端部を受け入れるための、上向きに開いた止まり穴、すなわち下向きに閉じた凹部を有する。前記スリーブに、交換可能な要素が、形状結合的（Ｆｏｒｍｓｃｈｌｕｅｓｓｉｇ）及び摩擦結合的（Ｋｒａｆｔｓｃｈｌｕｅｓｓｉｇ）に着脱可能に留め付けられる。従って、前記スリーブは、いわば、ポール管と交換可能な要素との間のアダプタとして機能する。
【手続補正３】
【補正対象書類名】明細書
【補正対象項目名】００３６
【補正方法】変更
【補正の内容】
【００３６】
右側に示した交換可能な要素２’は補強リブ１８又は支柱を有し、これは、ラッチラグ１２から、最大径ｄ’３の位置にある、プレート領域１１’の径方向先端部２４まで延びる。補強リブ１８は、補強リブ１８が延びる方向に対し横に配置される、通り抜け開口部の形をした凹部１９と、この凹部を取り囲む切り込み又は切り欠き２６をも有し、凹部１９は、材料の節約、従って重量を抑えるために役立つ。
【手続補正４】
【補正対象書類名】明細書
【補正対象項目名】００３８
【補正方法】変更
【補正の内容】
【００３８】
図５の断面図では、交換可能な要素２の止まり穴１５の中央領域において、スリーブの雄ねじ６に、交換可能な要素２の雌ねじ２１’が係合することが分かる。ここでは、ポール管１は、スリーブ３の止まり穴２２に完全に挿入されている。スリーブ３が交換可能な要素２の止まり穴１５に完全に挿入されるとき、このスリーブ３は、小さな軸方向の中間スペース２７によって止まり穴１５の底部から離間する。